【事件の表示】
　特願２００２−１７６８４９「スクリーン印刷用のペースト容器」拒絶査定不服審判事件〔平成１６年　１月２２日出願公開、特開２００４−　１７５１４〕について、次のとおり審決する。
【結　論】
　本件審判の請求は、成り立たない。
【理　由】
１　手続の経緯・本願発明
（１）手続の経緯
　本願は、平成１４年６月１８日の出願であって、平成１９年４月２４日付けで手続補正がなされ、同年１０月１７日付けで拒絶査定がなされ、これに対して、同年１１月２２日に拒絶査定不服審判が請求されるとともに、同年１２月１２日付けで手続補正がなされたものである。
　
（２）本願発明
　本願の請求項１及び２に係る発明は、平成１９年１２月１２日付け手続補正によって補正された明細書及び図面の記載からみて、その特許請求の範囲の請求項１及び２に記載された事項によってそれぞれ特定されるものであるところ、請求項１に係る発明は次のものである。
　
「内部にペーストを収容するペースト貯溜部と、このペースト貯溜部内のペーストを加圧することによりペーストを前記ペースト貯溜部から下方に移動させる加圧手段と、下方に移動したペーストを収容し下面に形成された開口部を介してマスクプレートの表面に接触させる印刷空間と、前記印刷空間のスキージング方向の前後壁を形成し前記マスクプレートの上面に摺接する相対向した２つの摺接部とを備えたスクリーン印刷用のスキージヘッドにおいて、前記ペースト貯溜部に設けられた容器保持部に着脱自在に保持され、前記加圧手段に加圧されて内部に収容したペーストを下方の前記印刷空間に供給する交換式のペースト容器であって、可撓性の膜状材より成る細長形状の凹状部と、この凹状部の外周部から凹方向と直交する方向に張り出して形成された鍔状部と、この鍔状部に貼着されることにより前記凹状部の開口面を閉塞し、このペースト容器が前記容器保持部に保持される際に前記鍔状部から剥離される膜状のカバーシート部材とを備え、前記凹状部とカバーシート部材によって閉囲される空間内にペーストを収容することを特徴とするスクリーン印刷用のペースト容器。」（以下「本願発明」という。）
　
２　刊行物の記載事項
　原査定の拒絶の理由に引用された「本願出願前の２００１年１月２５日に外国において頒布された刊行物である国際公開第０１／０５５９２号（以下「引用例」という。）」には、図とともに次の事項が記載されている。（下線は審決で付した。以下同じ。また、引用例に係る国際出願ＰＣＴ／ＧＢ００／０２７８１号の国内公表公報である特表２００３−５０４２４９号公報に基づいて日本語訳を記載した。）
（１）「CLAIMS
1. A screen printing head for applying a pasty product to a printing screen, comprising:
　a main body;
　wiper blades disposed to the main body for contacting a printing screen;
　a first chamber providing a reservoir for containing a supply of pasty product, the first chamber being defined at least in part by the main body and including at least one outlet opening through which pasty product is in use forced under pressure;
　a second chamber in fluid communication with the at least one outlet opening, the second chamber being defined in part by the main body and the wiper blades and being in use in communication with the printing screen; and
　a flow director disposed in the second chamber and configured such as in use to cause a circulatory flow of pasty product contained therein which passes over the surface of the printing screen and a flow of pasty product towards the printing screen which acts to force pasty product of the circulatory flow towards the printing screen and into apertures therein.  」（１０頁１〜１６行）
（日本語訳）
「【請求項１】  
ペースト状製品をプリントスクリーンに塗布するためのスクリーンプリントヘッドであって、
　
主本体
　
該プリントスクリーンに接触するための、該主本体に配置されたワイパーブレード
　
該ペースト状製品の供給を含むためのリザーバを提供する第１チャンバであって、該第１チャンバは、該主本体によって少なくとも一部規定されかつ少なくとも１つの出口開口部を含み、該ペースト状製品は、該出口開口部を通って、使用の際に圧力下で押し進まされる、第１チャンバ
　
該少なくとも１つの出口開口部と流体連絡する第２チャンバであって、該第２チャンバは、該主本体および該ワイパーブレードによって少なくとも一部規定され、かつ使用の際に該プリントスクリーンと連絡する、第２チャンバ
　
該第２チャンバ中に配置され、かつ使用の際に、該プリントスクリーンの表面上を通過する、該第２チャンバ中に含まれるペースト状製品の循環流、および該プリントスクリーンに向かいかつその中の開口中に該ペースト状製品の循環流を押し進めるように作用する、該プリントスクリーンに向う該ペースト状製品の流れを引き起こすように構成される、フローディレクター
　
を備える、スクリーンプリントヘッド
　
（２）「9. The printing head of any of claims 1 to 7, wherein the main body includes a replaceable cassette which defines at least in part the first chamber, the first chamber being charged by replacement of the cassette. 」（１１頁８〜１０行）
（日本語訳）
「【請求項９】  
前記主本体は、前記第１チャンバを少なくとも一部規定する交換可能カセットを含み、該第１チャンバは、該カセットの交換によって装填される
　
（３）「The present invention relates to screen printing and particularly to screen printing in which pasty product to be printed is contained within a screen printing head and delivered through the printing head by applied pressure.」（１頁２〜４行）
（日本語訳）
「　　【０００１】
　本発明は、スクリーンプリント、特に、プリントされるペースト状製品が、スクリーンプリントヘッド内に含まれかつ加圧によりこのプリントヘッドを通して送達されるスクリーンプリントに関する。」
　
（４）「There are many problems associated with this screen printing technique. One problem is that exposure of the pasty product 2 to the atmosphere results in evaporation of the solvents of the pasty product 2 and hence drying of the pasty product 2. Another problem is that increasing the speed of the squeegee 1 to increase the downward force F2 which forces the pasty product 2 into the apertures 4 of the stencil 3, not only reduces the time available to fill the apertures 4, but can also cause the pasty product 2 to slide across the stencil 3, thereby reducing the rolling effect and hence the shear thinning. 」（２頁４〜１０行）
（日本語訳）
「　　【０００６】
　このスクリーンプリント技術に関する多くの問題がある。
１つの問題は、大気へのペースト状製品２の曝露が、ペースト状製品２の溶媒のエバポレーションを生じ、故に、ペースト状製品２が乾燥することである
 
（５）「In one embodiment the main body includes one or more ports through which the first chamber can be charged with pasty product.
　
In another embodiment the main body includes a replaceable cassette which defines at least in part the first chamber, the first chamber being charged by replacement of the cassette.」（５頁８〜１２行）
（日本語訳）
「　　【００２０】
　１つの実施形態において、主本体は、１以上のポートを備え、これを通して、第１チャンバに、ペースト状製品を装填し得る。
　　　【００２１】
　別の実施形態において、
主本体は、第１チャンバを少なくとも一部規定する交換可能なカセットを備え
第１チャンバを、このカセットの交換によって装填する
　
（６）「The screen printing head comprises a main body 30, in this embodiment an elongate body, and first and second inwardly and downwardly directed wiper blades 31, 32 which are clamped to the main body 30 by respective clamping plates and screws. As illustrated in Figures 5 and 6, the wiper blades 31,32 are in use maintained in contact with a stencil 34, which includes a plurality of apertures 36 and is located above a workpiece 38, in this embodiment a circuit board, onto which deposits of a pasty product are to be printed. In this embodiment the printing head is symmetrically arranged about the longitudinal axis thereof such as to be moveable bi-directionally.
 
The main body 30 includes first and second lobe members 42,44, in this embodiment projections, between which an outlet opening 46, in this embodiment an elongate slot, is defined, and first and second chambers 48,50 in fluid communication through the outlet opening 46. As will be described further hereinbelow, each of first and second lobe members 42,44 has an arcuate lower, roof surface 52,54. One, the first, of the chambers 48 provides a reservoir for containing a pasty product 56 and is defined in part by a flexible diaphragm 58 which is in use acted upon to drive pasty product 56 under pressure into the other, second chamber 50. The other, second chamber 50 provides first and second circulation zones 60,62 in and through which pasty product 56 is circulated as will be described further hereinbelow. In this embodiment the main body 30 includes a plurality of ports 63 for charging the first chamber 48 with pasty product 56. In this embodiment the second chamber 50 is in use totally enclosed from the atmosphere to prevent drying out of the pasty product 56, with the stencil 34 in part enclosing the second chamber 50.
　
The printing head further comprises a flow director 63 disposed in the second chamber 50 adjacent the outlet opening 46. The flow director 63 comprises first and second vanes 64,66 which each extend a distance parallel to the lower surface 52,54 of respective ones of the first and second lobe members 42,44 adjacent the outlet opening 46 such as to define passages 67,68 therebetween and downwardly to define a nozzle 69, in this embodiment an elongate nozzle, therebetween which is spaced rearwardly from the plane defined by the lower edges of the wiper blades 31,32 such as to allow for a flow of the pasty product 56 therebeneath. With this configuration, the printing head is effectively divided into four sections as defined by the first chamber 48, the first and second circulation zones 60,62 and the internal space of the flow director 63.
　
The printing head further comprises sealing members 70 at each of the ends thereof, which sealing members 70 are formed of a flexible material so as to conform to the wiper blades 31,32 which deflect during printing.
　
In use, the printing head is brought into contact with the stencil 34 which is located above the underlying workpiece 38. A force F2 is applied to the flexible diaphragm 58 so as to pressurize the pasty product 56 in the first chamber 48 and force the same through the outlet opening 46 into the second chamber 50, the pasty product 56 being forced through the passages 67,68 and the nozzle 69 into contact with the stencil 34. The printing head is then moved, under a horizontal force F1, across the stencil 34, which movement in conjunction with the adhesion of the pasty product 56 to the stencil 34, causes a circulatory flow of the pasty product 56 in the circulation zones 60,62 as depicted by arrows 72. Pasty product 56 from the leading circulation zone, in this embodiment the second circulation zone 62, is drawn by adhesion to the stencil 34 between the nozzle 69 and the stencil 34, causing shear thinning of the pasty product 56 in this region. This flow of the pasty product 56 increases the pressure within the trailing circulation zone, in this embodiment the first circulation zone 60, and pasty product 56 is forced back to the leading circulation zone 62 through the passages 67,68, thereby further shear thinning the pasty product 56. At the same time, the action of the pasty product 56 introduced through the outlet opening 46 into the second chamber 50 is such as to apply a pressure through the nozzle 69 directly to the freshly shear-thinned pasty product 56 in the region below the nozzle 69, forcing the shear-thinned pasty product 56 into apertures 36 in the stencil 34.
　
The printing head of the present invention provides for better shear thinning than any of the known printing heads, particularly in the critical region between the nozzle 69 and the stencil 34, and provides for much improved packing of pasty product 56 into the stencil apertures 36. The wiper blades 31,32 are thus able to cleanly cut off the pasty product 56 across the top of the stencil apertures 36, without leaving any voids in the stencil apertures 36. In this way, good contact is established between the pasty product 56 and the workpiece 38 over the full area of the stencil apertures 38, thereby ensuring good separation of the pasty product 56 from the stencil 34 on separating the stencil 34 from the workpiece 38, and as a result high quality printing.」（７頁９行〜９頁１８行）
（日本語訳）
「　　【００２８】
　スクリーンプリントヘッドは、主本体３０を備え、この実施形態において、
細長本体
　　　【００２９】
　主本体３０は、第１および第２ローブ部材４２、４４を備え、この実施形態において、突出体（これらの突出体の間に出口開口部４６（この実施形態では細長スロット）が、規定される）ならびに外部開口部４６を通して流体連絡する第１および第２チャンバ４８、５０を備える。本明細書中の以下にさらに記載されるように、第１および第２ローブ部材４２、４４の各々は、弓形で低部の、ルーフ表面５２、５４を有する。
チャンバ４８の１つ（第１）は、ペースト状製品５６を含有するためのリザーバを提供し、そして可撓性ダイヤフラム５８によって一部規定され、これは、使用の際に、他方（第２チャンバ５０）への圧力下でペースト状製品５６を駆動するように作用する。
　　　【００３０】
　プリントヘッドは、さらに、出口開口部４６に隣接する第２チャンバ５０中に配置されたフローディレクター６３を備える。フローディレクター６３は、第１および第２ベーン６４、６６を備え、これらの各々は、出口開口部４６に隣接する第１および第２ローブ部材４２、４４のそれぞれ１つの低部表面５２、５４と平行にある距離だけ伸長し、それらの間に通路６７、６８を規定しかつ下方にノズル６９（この実施形態では、細長ノズル）を規定する。通路６７、６８の間に、ワイパーブレード３１、３２の低部縁によって規定される平面から後方に間隔があけられ、その真下にペースト状製品５６が流れることを可能にする。この構成をともなって、プリントヘッドは、第１チャンバ４８、第１および第２循環帯域６０、６２ならびにフローディレクター６３の内部間隔によって規定される通りの４つのセクションに効果的に分割される。
　　　【００３１】
　プリントヘッドは、さらに、その末端の各々にてシール部材７０を備え、このシール部材７０は、可撓性材料で形成されてプリントの間に偏向するワイパーブレード３１、３２に適合する。
　　　【００３２】
　
使用の際に、プリントヘッドは、下にあるワークピース３８の上に位置するステンシル３４と接触される。力Ｆ２は、可撓性ダイヤフラム５８に適用されて第１チャンバ４８中にペースト状製品５６を加圧しかつ出口開口部４６を通して第２チャンバ５０にペースト状製品を押し進め、このペースト状製品５６は、通路６７、６８およびノズル６９を通って押し進められ、ステンシル３４と接触する
　　　【００３３】
　本発明のプリントヘッドは、特に、ノズル６９とステンシル３４との間の臨界領域において、公知のプリントヘッドのいずれかよりもより良好なずり減粘を提供し、そしてステンシル開口３６へのペースト状製品５６のより改善されたパッキングを提供する。従って、ワイパーブレード３１、３２は、ステンシル開口３６において空隙を残さずに、ステンシル開口３６の頂部を横切ってペースト状製品５６をきれいに切断し得る。このように、良好な接触は、ステンシル開口３８の全面積にわたってペースト状製品５６とワークピース３８との間で確立され、それによってワークピース３８からステンシル３４を分離する際に、ステンシル３４からのペースト状製品５６の良好な分離を確実にし、結果として高品質のプリントを確実にする。」
　
（７）「Finally, it will be understood that the present invention has been described in its preferred embodiment and can be modified in many different ways without departing from the scope of the invention as defined by the appended claims. For example, alternative designs for the first chamber　48　are clearly possible, such as an interchangeable cassette system, as disclosed, for example, in WO-A-98/16387. Also, the shape and size of the flow director 63, in particular the nozzle 69, and the first and second chambers 48,50 can be altered from those of the illustrated embodiment. In particular, the widths of the outlet opening 46 and the nozzle 69, the width and length of the passages 67,68, and the clearance between the lower edge of the nozzle 69 and the stencil 34, all have an effect on the operation of the printing head and can be altered to provide the desired balance between shear thinning and the maximum feed rate of the pasty product 56.」（９頁１９〜２９行）
（日本語訳）
「　　【００３４】
　最後に、本発明は、その好ましい実施形態において記載され、そして添付の特許請求の範囲によって規定される通りの本発明の範囲から逸脱することなく多くの異なる様式で改変され得ることが、理解される。例えば、第１チャンバ４８についての代替の設計は、明らかに可能であり、例えば、ＷＯ−Ａ−９８／１６３８７に開示されるような、例えば交換可能なカセットシステムである。また、フローディレクター６３（特に、ノズル６９）ならびに第１および第２チャンバ４８、５０の形状およびサイズは、例示の実施形態の形状およびサイズから変更され得る。特に、出口開口部４６およびノズル６９の幅、通路６７、６８の幅および長さ、ならびにノズル６９の低部縁とステンシル３４との間のクリアランスはすべて、プリントヘッドの操作に対する効果を有し、かつずり減粘とペースト状製品５６の最大供給速度との間の所望されるバランスを提供するように変更され得る。」
　
（８）ＦＩＧ．６の記載から、次のアないしウが見てとれる。
　ア　ペースト状製品５６を含有するためのリザーバを提供する第１チャンバ４８を一部規定し、使用の際に、他方（第２チャンバ５０）への圧力下でペースト状製品５６を駆動するように作用する
可撓性ダイヤフラム
中央部に、内部にペースト状製品５６を含有する凸状部が形成され、その周縁部に、主本体３０の上下部分に挟まれている縁部が形成されている
　イ　
主本体３０の上部分の中央部には開口が設けられており、ペースト状製品５６を駆動するため、使用の際に他方（第２チャンバ５０）へ向けて可撓性ダイヤフラム５８に加えられる圧力Ｆ２は、該開口を介して加えられる
　ウ　ワイパーブレード３１、３２とともに
第２チャンバ５０の少なくとも一部を規定する
主本体３０の下部分
　
（９）上記（１）ないし（８）からみて、引用例には、
「ペースト状製品をプリントスクリーンに塗布するためのスクリーンプリントヘッドであって、
　中央部に開口が設けられた上部分及び第２チャンバの少なくとも一部を規定する下部分とからなり、細長本体である主本体；
　前記プリントスクリーンに接触するための、前記主本体に配置されたワイパーブレード；
　前記ペースト状製品の供給を含むためのリザーバを提供する第１チャンバであって、該第１チャンバは、前記主本体が備える交換可能なカセットによって少なくとも一部規定されかつ少なくとも１つの出口開口部を含み、前記ペースト状製品は、該出口開口部を通って、使用の際に圧力下で押し進まされる、第１チャンバ；
　前記少なくとも１つの出口開口部と流体連絡する第２チャンバであって、該第２チャンバは、前記主本体の下部分および前記ワイパーブレードによって少なくとも一部規定され、かつ使用の際に前記プリントスクリーンと連絡する、第２チャンバ；
　前記主本体に含まれ、かつ、前記第１チャンバを少なくとも一部規定する交換可能なカセットであって、前記ペースト状製品を含有するためのリザーバを提供し、そして使用の際に、他方（第２チャンバ）への圧力下で前記ペースト状製品を駆動するように作用する可撓性ダイヤフラムによって一部規定される、交換可能なカセット；ならびに
　前記第２チャンバ中に配置され、かつ、前記プリントスクリーンに向う前記ペースト状製品の流れを引き起こすように構成される、フローディレクター
　を備え、
　前記第１チャンバは、前記カセットの交換によって装填され、
　前記可撓性ダイヤフラムは、その中央部に、内部にペースト状製品を含有する凸状部が形成され、その周縁部に、主本体の上部分及び下部分に挟まれる縁部が形成されており、
　使用の際に、前記フローディレクターは、前記プリントスクリーンの表面上を通過し、前記第２チャンバ中に含まれるペースト状製品の循環流、および前記プリントスクリーンに向かいかつその中の開口中に該ペースト状製品の循環流を押し進めるように作用し、
　使用の際に、前記ペースト状製品を駆動するため、前記主本体の上部分の開口を介し、他方（第２チャンバ）へ向けて前記可撓性ダイヤフラムに圧力が加えられ、該圧力は、前記可撓性ダイヤフラムに適用されて前記ペースト状製品を加圧しかつ前記出口開口部を通して前記第２チャンバに該ペースト状製品を押し進め、該ペースト状製品はさらに押し進められてステンシルと接触する、スクリーンプリントヘッド。」の発明（以下「引用発明」という。）が記載されているものと認められる。
　
３　対比
　本願発明と引用発明とを対比する。
（１）引用発明の「ペースト状製品」、「リザーバを提供する第１チャンバ」、「『プリントスクリーンと連絡する』部分」、「プリントスクリーン」、「第２チャンバ」、「プリントスクリーンの表面上を通過し」、「ワイパーブレード」、「スクリーンプリントヘッド」、「主本体」、「交換可能なカセット」、「圧力が加えられ」、「可撓性ダイヤフラム」、「内部にペースト状製品を含有する凸状部」及び「縁部」は、それぞれ、本願発明の「ペースト」、「ペースト貯溜部」、「下面に形成された開口部」、「マスクプレート」、「印刷空間」、「スキージング」、「相対向した２つの摺接部」、「スクリーン印刷用のスキージヘッド」、「容器保持部」、「交換式のペースト容器」、「加圧され」、「可撓性の膜状材」、「凹状部」及び「鍔状部」に相当する。
（２）引用発明の「ペースト貯溜部（リザーバ）」は、カセットの交換によって装填される第１チャンバに提供され、ペースト状製品の供給を含むためのものであって、主本体が備える交換可能なカセットによって少なくとも一部規定されかつ少なくとも１つの出口開口部を含み、前記ペースト状製品は、該出口開口部を通って、使用の際に圧力下で押し進まされるものであるから、本願発明の「ペースト貯溜部」と、「内部にペーストを収容する」点で一致するといえる。
（３）引用発明では、「使用の際に、ペースト状製品を駆動するため、主本体の上部分の開口を介し、他方（第２チャンバ）へ向けて可撓性ダイヤフラムに圧力が加えられ、該圧力は、前記可撓性ダイヤフラムに適用されて前記ペースト状製品を加圧しかつ出口開口部を通して第２チャンバに該ペースト状製品を押し進め、該ペースト状製品はさらに押し進められてステンシルと接触する」から、引用発明は、本願発明の「このペースト貯溜部内のペーストを加圧することによりペーストを前記ペースト貯溜部から下方に移動させる加圧手段」を備えていることが明らかである。
（４）引用発明において、「印刷空間（第２チャンバ）」は、リザーバを提供する第１チャンバの出口開口部と流体連絡するものであって、主本体の下部分およびワイパーブレードによって少なくとも一部規定され、かつ使用の際にプリントスクリーンと連絡するものであり、ペースト状製品は、前記主本体の上部分の開口を介して可撓性ダイヤフラムに加えられた圧力により、前記出口開口部を通して該「印刷空間（第２チャンバ）」に押し進められ、さらに押し進められてステンシルと接触するから、引用発明の「印刷空間」と本願発明の「印刷空間」とは「下方に移動したペーストを収容し下面に形成された開口部を介してマスクプレートの表面に接触させる」点で一致する。
（５）引用発明において、「第２チャンバ」は「前記主本体の下部分および前記ワイパーブレードによって少なくとも一部規定され、かつ使用の際に前記プリントスクリーンと連絡する」ものであり、使用の際に、「フローディレクターは」、「プリントスクリーンの表面上を通過し、前記第２チャンバ中に含まれるペースト状製品の循環流、および前記プリントスクリーンに向かいかつその中の開口中に該ペースト状製品の循環流を押し進めるように作用」するから、引用発明の「相対向した２つの摺接部（ワイパーブレード）」と本願発明の「相対向した２つの摺接部」とは、「前記印刷空間のスキージング方向の前後壁を形成し前記マスクプレートの上面に摺接する」ものである点で一致するといえる。
（６）引用発明の「交換式のペースト容器（交換可能なカセット）」は、主本体（容器保持部）に備えられ、リザーバを提供する第１チャンバ（ペースト貯溜部）の少なくとも一部を規定し、その交換によって第１チャンバ（ペースト貯溜部）を装填し、使用の際に、他方（第２チャンバ）への圧力下でペースト状製品を駆動するように作用する可撓性ダイヤフラムによって一部規定されており、かつ、前記主本体の上部分の開口を介し、他方（第２チャンバ）へ向けて前記可撓性ダイヤフラムに圧力が加えられ（加圧され）ると、該圧力は、前記可撓性ダイヤフラムに適用されてペースト状製品（ペースト）を加圧しかつ出口開口部を通して第２チャンバ（印刷空間）に該ペースト状製品を押し進めようになっているから、引用発明の「交換式のペースト容器（交換可能なカセット）」と本願発明の「交換式のペースト容器」とは、「前記ペースト貯溜部に設けられた容器保持部に着脱自在に保持され、前記加圧手段に加圧されて内部に収容したペーストを下方の前記印刷空間に供給する」点で一致する。
（７）引用発明において、「主本体」が「細長本体」であることから、該主本体を構成する「中央部に開口が設けられた上部分」、「前記主本体が備える交換可能なカセット」、「交換可能なカセットによって少なくとも一部規定される第１チャンバ」、「交換可能なカセットを一部規定し、前記主本体の上部分の開口を介し、他方（第２チャンバ）へ向けて圧力が加えられる可撓性ダイヤフラム」及び「可撓性ダイヤフラムの中央部に形成され、内部にペースト状製品を含有する『凹状部（凸状部）』」のいずれもが「細長い形状」であることは当業者に自明である。してみると、引用発明の「凹状部（凸状部）」と本願発明の「凹状部」とは「可撓性の膜状材より成る細長形状の」ものである点で一致する。
（８）引用発明において、「主本体に含まれ、かつ、第１チャンバを少なくとも一部規定し、ペースト状製品を含有するためのリザーバを提供する交換可能なカセット」を一部規定する可撓性ダイヤフラムは、使用の際に、他方（第２チャンバ）への圧力下で前記ペースト状製品を駆動するように作用するものであって、その中央部に、内部にペースト状製品を含有する「凹状部（凸状部）」が形成され、その周縁部に、主本体の上部分及び下部分に挟まれる「鍔状部（縁部）」が形成されているものであるから、引用発明の「鍔状部（縁部）」と本願発明の「鍔状部」とは、「この凹状部の外周部から凹方向と直交する方向に張り出して形成され」ているものである点で一致することが当業者に自明である。
（９）上記（１）及び（８）からみて、本願発明と引用発明とは、
「内部にペーストを収容するペースト貯溜部と、このペースト貯溜部内のペーストを加圧することによりペーストを前記ペースト貯溜部から下方に移動させる加圧手段と、下方に移動したペーストを収容し下面に形成された開口部を介してマスクプレートの表面に接触させる印刷空間と、前記印刷空間のスキージング方向の前後壁を形成し前記マスクプレートの上面に摺接する相対向した２つの摺接部とを備えたスクリーン印刷用のスキージヘッドにおいて、前記ペースト貯溜部に設けられた容器保持部に着脱自在に保持され、前記加圧手段に加圧されて内部に収容したペーストを下方の前記印刷空間に供給する交換式のペースト容器であって、可撓性の膜状材より成る細長形状の凹状部と、この凹状部の外周部から凹方向と直交する方向に張り出して形成された鍔状部とを備えたスクリーン印刷用のペースト容器。」である点で一致し、次の点で相違する。
　
相違点：
　前記「スクリーン印刷用のペースト容器」が、本願発明においては「この鍔状部に貼着されることにより前記凹状部の開口面を閉塞し、このペースト容器が前記容器保持部に保持される際に前記鍔状部から剥離される膜状のカバーシート部材」を備え、「前記凹状部とカバーシート部材によって閉囲される空間内にペーストを収容する」のに対して、引用発明においては、前記凹状部の内部にペーストを有してはいるが、そのようなカバーシート部材を備えていない点。
　
４　判断
　上記相違点について検討する。
（１）「可撓性の膜状材より成る細長形状の凹状部と、この凹状部の外周部から凹方向と直交する方向に張り出して形成された鍔状部と、この鍔状部に貼着されることにより前記凹状部の開口面を閉塞し、この容器を使用する際に前記鍔状部から剥離される膜状のカバーシート部材とを備え、前記凹状部とカバーシート部材によって閉囲される空間内に収容物を収容する容器。」は本願出願前に周知である（例．特開平２−５３０８９号公報（第２図、第３図、特許請求の範囲の記載、実施例の記載参照。「端縁」、「シール部材」及び「横断面中空台形に形成した可撓性材料９」が「鍔状部」、「カバーシート部材」及び「可撓性の膜状材より成る細長形状の凹状部」にそれぞれ相当する。）、実願昭６３−１１８８２１号（実開平２−４１２６１号）のマイクロフィルム（第１図、第２図、実用新案登録請求の範囲の記載、実施例の記載参照。「基板２」、「剥離シール５」及び「変形自在なプラスチックフィルムよりなるトナー収容部３」が「鍔状部」、「カバーシート部材」及び「可撓性の膜状材より成る細長形状の凹状部」にそれぞれ相当する。）。以下「周知技術」という。）。
（２）使用する際にカバーシート部材を剥離するようにした上記（１）の構造によれば、収容物の大気への暴露を防ぐことができることは、当業者に自明である。
（３）ペースト状製品をプリントスクリーンに塗布するためのスクリーン印刷（スクリーンプリント）において、ペースト状製品の大気への曝露が問題であることは、当業者に知られている（上記２（４）の記載、原査定の拒絶の理由で引用された米国特許第５２８４１８９号明細書の３欄６２行〜４欄３６行の記載、及び、同じく原査定の拒絶の理由で引用された特開平８−３９７７０号公報の３頁左欄５行ないし６行の記載参照。）。
（４）上記（１）ないし（３）からして、引用発明において、使用前のペースト状製品の大気への曝露を防止するために、「スクリーン印刷用のペースト容器」を、「可撓性の膜状材より成る細長形状の凹状部と、この凹状部の外周部から凹方向と直交する方向に張り出して形成された鍔状部と、この鍔状部に貼着されることにより前記凹状部の開口面を閉塞し、このペースト容器が前記容器保持部に保持される際に前記鍔状部から剥離される膜状のカバーシート部材とを備え、前記凹状部とカバーシート部材によって閉囲される空間内にペーストを収容する容器」として、上記相違点に係る本願発明の構成となすことは、当業者が、周知技術に基づいて容易になし得た程度のことである。
（５）本願発明の奏する効果は、引用発明の奏する効果、周知技術の奏する効果から当業者が予測できた程度のものである。
（６）まとめ
　したがって、本願発明は、当業者が、引用例に記載された発明及び周知技術に基づいて容易に発明をすることができたものである。
　
５　むすび 
　以上のとおり、本願発明は、当業者が、引用例に記載された発明及び周知技術に基づいて容易に発明をすることができたものであるから、特許法第２９条第２項の規定により特許を受けることができない。
　よって、結論のとおり審決する。